【手続補正書】
【提出日】平成23年11月18日(2011.11.18)
【手続補正１】
【補正対象書類名】特許請求の範囲
【補正対象項目名】全文
【補正方法】変更
【補正の内容】
【特許請求の範囲】
【請求項１】
所定の位置に設置され、かつ第１位置特定子を送信可能な第１リーダライタ端末と、
所定の位置に設置され、かつ第２位置特定子を送信可能な第２リーダライタ端末と、
携帯端末と通信可能な通信手段と、前記第１位置特定子によって特定される前記第１リーダライタ端末の設置位置の周辺情報資源および前記第２位置特定子によって特定される特典情報資源を記憶する記憶手段と、前記通信手段および前記記憶手段を制御する制御手段とを含むシステムにおいて、
前記携帯端末は通信機能および非接触型ＩＣチップを備え、
前記第１リーダライタ端末が、前記携帯端末の接近を検知したら、前記第１リーダライタ端末から前記携帯端末へ前記第１位置特定子を送信する第１位置特定子送信ステップと、
前記通信手段が、前記携帯端末から、通信ネットワークを介して、前記第１位置特定子を受信する第１位置特定子受信ステップと、
前記制御手段が、前記第１位置特定子によって特定される前記周辺情報資源を、前記記憶手段から読み取り、前記通信手段から通信ネットワークを介して、前記携帯端末へ送信する周辺情報資源送信ステップと、
前記通信手段が、通信ネットワークを介して、前記携帯端末から、前記携帯端末に関連付けられている使用者識別子を受信する使用者識別子第１受信ステップと、
前記記憶手段が、前記携帯端末から受信した前記使用者識別子を記憶する使用者識別子第１記憶ステップと、
前記第２リーダライタ端末が、前記携帯端末の接近を検知したら、前記第２リーダライタ端末から前記携帯端末へ第２位置特定子を送信する第２位置特定子送信ステップと、
前記通信手段が、前記携帯端末から、通信ネットワークを介して、前記使用者識別子および前記第２位置特定子を受信する使用者識別子第２受信ステップと、
前記記憶手段が、前記使用者識別子第２受信ステップにおいて、前記携帯端末から受信した前記使用者識別子を記憶する使用者識別子第２記憶ステップと、
前記制御手段が、前記使用者識別子第２受信ステップにおいて受信した前記使用者識別子が、前記使用者識別子第１記憶ステップにおいて既に記憶されている使用者識別子と同じかを判断する使用者識別子判断ステップと、
前記使用者識別子判断ステップにおいて、２つの使用者識別子が同じと判断された場合に、前記特典情報資源を、前記記憶手段から読み取り、通信ネットワークを介して、前記携帯端末へ送信する特典情報資源送信ステップと、
を含むことを特徴とする情報提供方法。
【請求項２】
前記使用者識別子第１記憶ステップにおいて、前記使用者識別子と共に、前記使用者識別子を受信した時刻を記憶し、
前記使用者識別子第２記憶ステップにおいて、前記使用者識別子と共に、前記使用者識別子を受信した時刻を記憶することを特徴とする請求項２に記載の情報提供方法。
【請求項３】
所定の位置に設置され、かつ第１位置特定子を送信可能な第１リーダライタ端末と、
所定の位置に設置され、かつ第２位置特定子を送信可能な第２リーダライタ端末と、
携帯端末と通信可能な通信手段と、前記第１位置特定子によって特定される前記第１リーダライタ端末の設置位置の周辺情報資源および前記第２位置特定子によって特定される特典情報資源を記憶する記憶手段と、前記通信手段および前記記憶手段を制御する制御手段を含む情報提供システムであって、
前記携帯端末は通信機能および非接触型ＩＣチップを備え、
前記第１リーダライタ端末は、前記携帯端末の接近を検知したら、前記第１リーダライタ端末から前記携帯端末へ前記第１位置特定子を送信可能であり、
前記通信手段は、前記携帯端末から、通信ネットワークを介して、前記第１位置特定子を受信可能であり、
前記制御手段は、前記第１位置特定子によって特定される前記周辺情報資源を、前記記憶手段から読み取り、前記通信手段から通信ネットワークを介して、前記携帯端末へ送信可能であり、
前記記憶手段は、第２位置特定子によって特定される特典情報資源をさらに記憶し、
前記通信手段は、通信ネットワークを介して、前記携帯端末から、前記携帯端末に関連付けられている使用者識別子を受信可能であり、
前記記憶手段は、前記携帯端末から受信した前記使用者識別子を記憶可能であり、
前記第２リーダライタ端末が、前記携帯端末の接近を検知したら、前記携帯端末へ第２位置特定子を送信可能であり、
前記通信手段は、前記携帯端末から、通信ネットワークを介して、前記使用者識別子および前記第２位置特定子を受信可能であり、
前記記憶手段は、前記携帯端末から前記第２位置特定子と共に受信した前記使用者識別子を記憶可能であり、
前記制御手段は、前記第２位置特定子と共に受信した前記使用者識別子が、既に記憶されている使用者識別子と同じかを判断可能であり、
前記通信手段は、前記第２位置特定子と共に受信した前記使用者識別子が、既に記憶されている使用者識別子と同じと判断された場合に、前記特典情報資源を、前記記憶手段から読み取り、通信ネットワークを介して、前記携帯端末へ送信可能であることを特徴とする情報提供システム。
【手続補正２】
【補正対象書類名】明細書
【補正対象項目名】０００１
【補正方法】変更
【補正の内容】
【０００１】
本発明は、インターネット等の通信ネットワークを介して接続された端末を利用して、情報を必要とする場所でその周辺の情報を容易に取得可能な方法およびシステムに関する。
【手続補正３】
【補正対象書類名】明細書
【補正対象項目名】０００５
【補正方法】変更
【補正の内容】
【０００５】
本発明は上記の課題に鑑みてなされたものであり、本発明の情報提供方法の第１の特徴は、所定の位置に設置され、かつ第１位置特定子を送信可能な第１リーダライタ端末と、所定の位置に設置され、かつ第２位置特定子を送信可能な第２リーダライタ端末と、携帯端末と通信可能な通信手段と、前記第１位置特定子によって特定される前記第１リーダライタ端末の設置位置の周辺情報資源および前記第２位置特定子によって特定される特典情報資源を記憶する記憶手段と、前記通信手段および前記記憶手段を制御する制御手段とを含むシステムにおいて、
前記携帯端末は通信機能および非接触型ＩＣチップを備え、
（１）前記第１リーダライタ端末が、前記携帯端末の接近を検知したら、前記第１リーダライタ端末から前記携帯端末へ前記第１位置特定子を送信する第１位置特定子送信ステップと、
（２）前記通信手段が、前記携帯端末から、通信ネットワークを介して、前記第１位置特定子を受信する第１位置特定子受信ステップと、
（３）前記制御手段が、前記第１位置特定子によって特定される前記周辺情報資源を、前記記憶手段から読み取り、前記通信手段から通信ネットワークを介して、前記携帯端末へ送信する周辺情報資源送信ステップと、
【手続補正４】
【補正対象書類名】明細書
【補正対象項目名】０００６
【補正方法】変更
【補正の内容】
【０００６】
（４）前記通信手段が、通信ネットワークを介して、前記携帯端末から、前記携帯端末に関連付けられている使用者識別子を受信する使用者識別子第１受信ステップと、
（５）前記記憶手段が、前記携帯端末から受信した前記使用者識別子を記憶する使用者識別子第１記憶ステップと、
（６）前記第２リーダライタ端末が、前記携帯端末の接近を検知したら、前記第２リーダライタ端末から前記携帯端末へ第２位置特定子を送信する第２位置特定子送信ステップと、
（７）前記通信手段が、前記携帯端末から、通信ネットワークを介して、前記使用者識別子および前記第２位置特定子を受信する使用者識別子第２受信ステップと、
（８）前記記憶手段が、前記使用者識別子第２受信ステップにおいて、前記携帯端末から受信した前記使用者識別子を記憶する使用者識別子第２記憶ステップと、
（９）前記制御手段が、前記使用者識別子第２受信ステップにおいて受信した前記使用者識別子が、前記使用者識別子第１記憶ステップにおいて既に記憶されている使用者識別子と同じかを判断する使用者識別子判断ステップと、
（１０）前記使用者識別子判断ステップにおいて、２つの使用者識別子が同じと判断された場合に、前記特典情報資源を、前記記憶手段から読み取り、通信ネットワークを介して、前記携帯端末へ送信する特典情報資源送信ステップと、
を含むことにある。
【手続補正５】
【補正対象書類名】明細書
【補正対象項目名】０００７
【補正方法】変更
【補正の内容】
【０００７】
本発明の第１の特徴によれば、駅などで周辺情報を取得した者が、その後どのような行動をとったかを、容易に、かつプライバシーの侵害に十分配慮した上で取得することができる。
【手続補正６】
【補正対象書類名】明細書
【補正対象項目名】００１６
【補正方法】変更
【補正の内容】
【００１６】
第２実施形態では、第１実施形態における（Ｓ４：周辺情報資源送信ステップ）の後に、ＷＥＢサーバ２０１は、インターネット通信網９０を介して、携帯電話６０から、キャンペーンへのエントリー（申し込み）の際にＵＩＤ（使用者識別子）を受信する（Ｓ５：使用者識別子第１受信ステップ）。
次に、ＤＢ２０５は、携帯電話６０から受信したＵＩＤを記憶する（使用者識別子第１記憶ステップ）。
次に、店舗設置リーダライタ端末（第２リーダライタ端末）５０は、携帯電話６０の接近を検知したら（ステップＳ６）、携帯電話６０へ第２ＵＲＬを送信する（Ｓ７：第２位置特定子送信ステップ）。
次に、ＷＥＢサーバ２０１は、携帯電話６０から、インターネット通信網９０を介して、ＵＩＤおよび第２ＵＲＬを受信する（Ｓ８：使用者識別子第２受信ステップ）。
次に、ＤＢ２０５は、使用者識別子第２受信ステップＳ８において、携帯電話６０から受信したＵＩＤを記憶する（使用者識別子第２記憶ステップ）。
次に、制御手段は、使用者識別子第２受信ステップにおいて受信したＵＩＤが、使用者識別子第１記憶ステップにおいて既に記憶されているＵＩＤと同じかを判断する（使用者識別子判断ステップ）。
次に、使用者識別子判断ステップにおいて、２つの使用者識別子が同じと判断された場合、特典情報資源を、ＤＢ２０５から読み取り、インターネット通信網９０を介して、携帯電話６０へ送信する（Ｓ９：特典情報資源送信ステップ）。
【手続補正７】
【補正対象書類名】明細書
【補正対象項目名】００１７
【補正方法】変更
【補正の内容】
【００１７】
以下、より具体的に第２実施形態を説明する。
第１実施形態において駅に設置されたリーダライタ端末４０に、駅利用者の携帯電話６０をかざして（Ｓ１）、リーダライタ端末４０から第１ＵＲＬを取得し（Ｓ２）、携帯電話６０の液晶ディスプレイに表示されている第１ＵＲＬをクリックすると（Ｓ３）、駅の周辺の施設によって提供されているキャンペーン情報が表示される（Ｓ４）。
駅利用者はそのキャンペーンにエントリーする（Ｓ５）。所定時間内に、キャンペーン参加店舗（レストラン・物販店舗等）に来店して、店舗に設置されているリーダライタ端末５０に、携帯電話６０をかざすと（Ｓ６）、携帯電話６０へ第２ＵＲＬが返される（Ｓ７）。
携帯電話６０の液晶ディスプレイに表示されている第２ＵＲＬをクリックすると（Ｓ８）、駅設置リーダライタ端末４０および店舗設置リーダライタ端末５０にタッチしたものだけがアクセス可能なＷｅｂページを閲覧可能となる（Ｓ９）。このＷｅｂページは、そのページ自体が割引チケットなどの特典であっても良い、また特典を得るための抽選に参加可能なページなどであっても良い。